(57)【要約】【課題】シート束のカール方向に関係なく、シートの給送を安定して行うことができるシート収納装置及びそれを備えた画像形成装置を提供する。【解決手段】シート収納装置は、シート収納部と、シート積載板と、一対の幅規制カーソルと、後端カーソルと、を備える。幅規制カーソルは、シートの側端部に当接する幅規制板と、幅規制板の上端に回動可能に連結され、幅規制板のシート幅方向の外側に退避した退避位置と、幅規制板からシート幅方向の内側に水平に突出した規制位置と、に選択配置される第１規制板と、を有する。後端カーソルは、シートの給送方向上流側の端縁に当接する後端規制板と、後端規制板の上端に回動可能に連結され、後端規制板のシート給送方向の上流側に退避した退避位置と、後端規制板からシート給送方向下流側に水平に突出した規制位置と、に選択配置される第２規制板と、を有する。【選択図】図２
2019018937.tif 000002
【特許請求の範囲】
【請求項１】
シート状の記録媒体を収納するシート収納部と、
該シート収納部の底面にシート給送方向上流側の端部が回動可能に支持され、上面にシートが載置されるシート積載板と、
前記シート収納部の底面にシートの幅方向に沿って往復移動可能に設けられ、前記シート積載板上に載置されるシートの幅方向の位置決めを行う一対の幅規制カーソルと、
前記シート収納部の底面にシートの給送方向に沿って往復移動可能に設けられ、前記シート積載板上に載置されるシートのシート給送方向の位置決めを行う後端カーソルと、
を備えたシート収納装置において、
前記幅規制カーソルは、
前記シート積載板に積載されるシートの側端部に当接する幅規制板と、
該幅規制板の上端に回動可能に連結され、前記幅規制板のシート幅方向の外側に退避した退避位置と、前記幅規制板からシート幅方向の内側に水平に突出した規制位置と、に選択配置される第１規制板と、
を有し、
前記後端カーソルは、
前記シート積載板に積載されるシートのシート給送方向上流側の端縁に当接する後端規制板と、
該後端規制板の上端に回動可能に連結され、前記後端規制板のシート給送方向の上流側に退避した退避位置と、前記後端規制板からシート給送方向下流側に水平に突出した規制位置と、に選択配置される第２規制板と、
を有することを特徴とするシート収納装置。
【請求項２】
前記規制位置に配置された前記第１規制板および前記第２規制板は、外力を加えない状態で水平姿勢を保持することを特徴とする請求項１に記載のシート収納装置。
【請求項３】
前記第１規制板および前記第２規制板は、それぞれ前記幅規制部および前記後端規制部に対し着脱可能であることを特徴とする請求項１又は請求項２に記載のシート収納装置。
【請求項４】
前記第２規制板は、シート幅方向の大きさが前記後端規制板と略同一であることを特徴とする請求項１乃至請求項３のいずれかに記載のシート収納装置。
【請求項５】
前記第２規制板は、前記後端規制板の先端に回動可能に支持される第１規制片と、前記第１規制片の内部に収納された状態と、前記第１規制片の先端から突出した状態とに選択配置される第２規制片と、で構成され、
前記第２規制板は、前記第１規制片が前記後端規制板に沿って垂下し、前記第２規制片が前記第１規制片に収納された前記退避位置と、前記第１規制片が前記後端規制板の内側に水平に突出し、前記第２規制片が前記第１規制片から引き出された前記規制位置と、に選択配置されることを特徴とする請求項１乃至請求項４のいずれかに記載のシート収納装置。
【請求項６】
一対の前記幅規制カーソルの一方には、前記幅規制カーソルを所定の位置でロックするとともにロックを解除するロック解除部材が前記幅規制板のシート幅方向の外側に設けられており、
前記第１規制板は、前記幅規制板のシート給送方向において、前記退避位置に配置された前記第１規制板が前記ロック解除部材に重ならない範囲に設けられることを特徴とする請求項１乃至請求項５のいずれかに記載のシート収納装置。
【請求項７】
請求項１乃至請求項６のいずれかに記載のシート収納装置を備えた画像形成装置。
【発明の詳細な説明】
【技術分野】
【０００１】
本発明は、ハウジング内にシート束を積載して収納するシート収納装置及びそれを備えた画像形成装置に関するものである。
【背景技術】
【０００２】
複写機、プリンター、ファクシミリ等の画像形成装置においては、各種サイズのシート（用紙）を適宜に積載することができるシート給送カセットが挿脱可能に設けられている。シート給送カセットに収納されたシート束の縁部は幅規制カーソルや後端カーソルによって位置が規制され、両カーソルはシートのサイズに対応した位置にスライドできるようになっている。
【０００３】
シート給送カセットに収納されるシート束がカールしている場合、上述したような幅規制カーソルや後端カーソルによる位置規制では不十分な場合がある。具体的には、シート束が上向きにカールしている場合はシートの側端が幅規制カーソルを乗り越えてしまい、シート束から一枚ずつシートを給送する際にシート給送カセット内でシートのスキュー（斜行）が発生し、シートの後端がばたついてしまうことがある。その結果、安定した状態でシートを給送することができず、ジャム等の不具合が発生するという問題点があった。
【０００４】
そこで、特許文献１には、シート収納部に積載されるシートの側端を規制するためのサイド規制手段として、シートの幅方向に移動可能なサイド規制板と、サイド規制板にシートの積載方向に移動可能に保持される可動サイド規制板と、を備え、可動サイド規制板は、シートの側端側からシートの上面側に突出する庇部と、可動サイド規制板の移動位置に関わらずサイド規制板のシートの規制面と略同一の規制面とを有するシート給送装置が開示されている。
【０００５】
特許文献１の構成によれば、側端部が上カールしたシート束がカセットに収納されていたとしても、シート積載板の上方への揺動によりシート束のカール部が庇部を押し上げることで可動壁が持ち上がる。これにより、シートがサイド規制板を超えることがなくなり、シートのスキューを回避することができる。
【先行技術文献】
【特許文献】
【０００６】
【特許文献１】特開２００５−５９９８０号公報
【発明の概要】
【発明が解決しようとする課題】
【０００７】
ところで、シート給送カセットに側端部が下カールしたシート束を積載すると、シートの幅方向中央部が上向きに撓んでいる。この場合、積載されたシート束の上部が後端カーソルに当接せず、シート束を給送方向に確実に位置決めすることができないため、シートのスキューが発生するという問題点があった。
【０００８】
特許文献１の構成では側端部が上カールしたシート束のスキューは回避可能であるが、側端部が下カールしたシートを安定して給送することはできなかった。また、シート束を補給する際に可動サイド規制板の庇部に引っ掛かるおそれがあるため、可動サイド規制板を上方に移動させてシート束を補給した後、再び可動サイド規制板を下方に移動させる必要があった。
【０００９】
本発明は、上記問題点に鑑み、シート束のカール方向に関係なく、シートの給送を安定して行うことができるシート収納装置及びそれを備えた画像形成装置を提供することを目的とする。
【課題を解決するための手段】
【００１０】
上記目的を達成するために本発明の第１の構成は、シート収納部と、シート積載板と、一対の幅規制カーソルと、後端カーソルと、を備えたシート収納装置である。シート収納部は、シート状の記録媒体を収納する。シート積載板は、シート収納部の底面にシート給送方向上流側の端部が回動可能に支持され、上面にシートが載置される。一対の幅規制カーソルは、シート収納部の底面にシートの幅方向に沿って往復移動可能に設けられ、シート積載板上に載置されるシートの幅方向の位置決めを行う。後端カーソルは、シート収納部の底面にシートの給送方向に沿って往復移動可能に設けられ、シート積載板上に載置されるシートのシート給送方向の位置決めを行う。幅規制カーソルは、シート積載板に積載されるシートの側端部に当接する幅規制板と、幅規制板の上端に回動可能に連結され、幅規制板のシート幅方向の外側に退避した退避位置と、幅規制板からシート幅方向の内側に水平に突出した規制位置と、に選択配置される第１規制板と、を有する。後端カーソルは、シート積載板に積載されるシートのシート給送方向上流側の端縁に当接する後端規制板と、後端規制板の上端に回動可能に連結され、後端規制板のシート給送方向の上流側に退避した退避位置と、後端規制板からシート給送方向下流側に水平に突出した規制位置と、に選択配置される第２規制板と、を有する。
【発明の効果】
【００１１】
本発明の第１の構成によれば、シートの側端部が上向きおよび下向きのどちらの方向にカールしている場合であっても、第１規制板または第２規制板を規制位置に配置することによってカール部分の膨らみを規制することで、シート積載板上に載置されるシートの束を幅方向および給送方向に確実に位置決めすることができる。従って、シートのスキューを効果的に抑制することができる。また、第１規制板および第２規制板が、それぞれ幅規制板および後端規制板の上端に回動可能に連結されるため、第１規制板および第２規制板の配置を退避位置と規制位置とに簡単に切り換えることができる。
【図面の簡単な説明】
【００１２】
【図１】本発明のシート収納装置の一実施形態である給紙カセット１ａを備えた画像形成装置１００の内部構造を示す概略断面図
【図２】本発明の一実施形態に係る給紙カセット１ａの外観斜視図
【図３】給紙カセット１ａを上方から見た平面図
【図４】幅規制カーソル７ａの斜視図
【図５】幅規制カーソル７ｂの斜視図
【図６】第１規制板５５が退避位置に配置された幅規制カーソル７ａを給紙方向上流側から見た側面図
【図７】第１規制板５５が規制位置に配置された幅規制カーソル７ａを給紙方向上流側から見た側面図
【図８】後端カーソル９の斜視図
【図９】後端カーソル９の側面図であって、第２規制板６５を規制位置に配置した状態を示す図
【図１０】規制位置に配置された第２規制板６５の平面図
【図１１】給紙カセット１ａの外観斜視図であって、給紙カセット１ａに幅方向中央部が下向きにカール（側端部が上向きにカール）している用紙Ｐをセットした状態を示す図
【図１２】図１１の状態から幅規制カーソル７ａ、７ｂの第１規制板５５を内側に回動させて規制位置に配置した状態を示す図
【図１３】給紙カセット１ａの外観斜視図であって、幅方向中央部が上向きにカール（側端部が下向きにカール）している用紙Ｐをセットした状態を示す図
【図１４】図１３の状態から幅規制カーソル７ａ、７ｂおよび後端カーソル９を移動させて、それぞれ用紙Ｐの束の側端縁と後端縁に当接させた状態を示す図
【図１５】図１４の状態から後端カーソル９の第２規制板６５を内側に回動させて規制位置に配置した状態を示す図
【発明を実施するための形態】
【００１３】
以下、図面を参照しながら本発明の実施形態について説明する。図１は、本発明の一実施形態に係る給紙カセット１ａを備えた内部構造を示す側面断面図である。なお、図中の実線矢印は用紙Ｐの搬送経路、及び搬送方向を示す。
【００１４】
図１において、画像形成装置１００の下部には、カセット式給紙部１０１が配置されている。カセット式給紙部１０１には、２つの給紙カセット１ａ、１ｂが備えられている。この給紙カセット１ａ、１ｂの内部に、印字前のカットペーパー等の用紙Ｐの束が積載して収容され、画像形成装置１００本体に備えられた給紙ユニット１１７ａ、１１７ｂにより用紙Ｐの束から用紙Ｐが１枚ずつ分離して送り出される。給紙ユニット１１７ａは、給紙カセット１ａに対応して設けられたピックアップローラー２９ａと給紙ローラー対３０ａを有する。給紙ユニット１１７ｂは、給紙カセット１ｂに対応して設けられたピックアップローラー２９ｂと給紙ローラー対３０ｂを有する。
【００１５】
手差し給紙部１０２は、画像形成装置１００の右側面上部の外部に備えられている。手差し給紙部１０２には、カセット式給紙部１０１と異なるサイズや厚みの用紙や、ＯＨＰシート、封筒、葉書き、送り状等のように１枚ずつ送り込まれるものが載置される。
【００１６】
画像形成装置１００内には用紙搬送部１０３が配置されている。用紙搬送部１０３は、カセット式給紙部１０１に対し、給紙方向下流側である右方に位置し、手差し給紙部１０２に対し、給紙方向下流側である左方に位置する。カセット式給紙部１０１から送り出された用紙Ｐは、用紙搬送部１０３により画像形成装置１００本体の側面に沿って垂直上方に搬送され、手差し給紙部１０２から送り出された用紙Ｐは水平に搬送される。
【００１７】
画像形成装置１００の上面には原稿搬送装置１０４が配置され、その下方には画像読取部１０５が配置されている。使用者が原稿の複写を行う場合には、原稿搬送装置１０４に複数枚の原稿を積載する。原稿搬送装置１０４では原稿が１枚ずつ分離して送り出され、画像読取部１０５によってその画像データが読み取られる。
【００１８】
用紙搬送部１０３の用紙搬送方向下流側であって、画像読取部１０５の下方には、画像形成部１０６、及び転写部１０７が配置されている。画像形成部１０６では、画像読取部１０５によって読み取られた画像データに基づいて原稿画像の静電潜像が形成され、この静電潜像が現像されてトナー像が形成される。一方、画像形成部１０６におけるトナー像の形成タイミングと同期をとってカセット式給紙部１０１から用紙搬送部１０３を介して用紙Ｐが転写部１０７に搬送される。画像形成部１０６において形成されたトナー像は、転写部１０７において用紙Ｐ上に転写される。
【００１９】
転写部１０７の下流側には、定着部１０８が配置されている。転写部１０７においてトナー像が転写された用紙Ｐは、定着部１０８へと搬送され、加熱ローラー及び加圧ローラーから成る定着ローラー対のニップ部を通過することにより、用紙Ｐ上のトナー像が定着されて永久像とされる。定着部１０８から排出された用紙Ｐは、画像形成装置１００の左側面外側に設けられた用紙排出トレイ１１１に排出される。
【００２０】
次に、画像形成装置１００に着脱可能に用いられる給紙カセット１ａの詳細な構成について、図２および図３を用いて説明する。図２は、給紙カセット１ａを前面側上方から見た外観斜視図であり、図３は給紙カセット１ａの平面図である。なお、ここでは給紙カセット１ａの構成について説明するが、給紙カセット１ｂについても全く同様の構成である。また、図２および図３において、カセット式給紙部１０１に対する給紙カセット１ａの挿入方向を矢印Ａ、引き出し方向を矢印Ａ′で示し、給紙カセット１ａの給紙方向を矢印Ｂで示す。
【００２１】
給紙カセット１ａは、図１に示す画像形成装置１００のカセット式給紙部１０１に収容される。給紙カセット１ａの本体部であるカセットベース１０は、上面が開口した平らな箱で構成され、その上面方向から用紙Ｐを積載して収容する。画像形成装置１００内部のカセット式給紙部１０１において、給紙カセット１ａの上方には、給紙ユニット１１７ａ（図１参照）が備えられ、用紙Ｐ（図１参照）は図２に示す矢印Ｂ方向に供給される。カセットベース１０の前面部にはカセットカバー３が装着されている。カセットカバー３は、その表面側（図２の左手前側）が外部に露出して画像形成装置１００本体の外装面の一部を構成する。
【００２２】
給紙カセット１ａは、カセットベース１０の挿抜方向（矢印ＡＡ′方向）に平行な側面の外側に設けられたガイドリブ２をカセット式給紙部１０１内部の図示しないレールに係合させ、図２に示す矢印Ａの方向に水平にスライドしてカセット式給紙部１０１に挿入される。
【００２３】
用紙Ｐが積載される用紙積載板２０は板状の部材であり、左右の揺動軸２０ａを支点として給紙方向（矢印Ｂ方向）の下流端がカセットベース１０に対し上下に昇降可能に設けられている。
【００２４】
また、用紙積載板２０の幅方向両側には、用紙積載板２０に積載される用紙Ｐの幅方向の位置決めを行う一対の幅規制カーソル７ａ、７ｂが、カセットベース１０に形成された幅規制カーソル案内溝（図示せず）に沿ってそれぞれ用紙幅方向（矢印ＡＡ′方向）に往復移動可能に設けられている。また、給紙カセット１ａには、用紙Ｐのサイズに応じた位置に配置することで用紙積載板２０に積載された用紙Ｐの後端を整合する後端カーソル９が設けられている。用紙搬送部１０３（図１参照）に向けて用紙Ｐが矢印Ｂ方向に送出されるため、用紙Ｐの後端を揃える後端カーソル９は、カセットベース１０に形成された後端カーソル案内溝（図示せず）に沿って給紙方向（矢印Ｂ方向）に往復移動可能に設けられている。幅規制カーソル７ａ、７ｂおよび後端カーソル９の詳細な構成については後述する。
【００２５】
用紙積載板２０に積載される用紙Ｐのサイズに合わせて幅規制カーソル７ａ、７ｂ、および後端カーソル９を移動させることにより、用紙Ｐを給紙カセット１ａ内の所定位置に収納する。用紙積載板２０には幅規制カーソル７ａ、７ｂおよび後端カーソル９の移動領域に切り欠きが設けられている。
【００２６】
用紙積載板２０の裏面側には、シャフト２１の一端に固定され用紙積載板２０の揺動端を押し上げて揺動させる作動板２３が設けられている。シャフト２１の他端にはカセット側カップリング２５が設けられている。カセット側カップリング２５はカセットベース１０の挿入方向下流側に突出し、給紙カセット１ａをカセット式給紙部１０１の所定位置まで挿入したとき本体側カップリング（図示せず）と連結する。
【００２７】
図４および図５は、それぞれ幅規制カーソル７ａ、７ｂの斜視図である。幅規制カーソル７ａ、７ｂは、用紙積載板２０に積載される用紙Ｐの束の側端縁に当接する幅規制板５１と、幅規制板５１の下端部から用紙幅方向の内側に延在する板状のラック部５３と、を有している。幅規制板５１の上端部には第１規制板５５が連結されている。
【００２８】
幅規制カーソル７ａ、７ｂの各ラック部５３には、給紙方向の対向面に用紙幅方向に延びるラック歯５３ａが形成されている。各ラック部５３のラック歯５３ａは、カセットベース１０の底面に付設されたピニオン（図示せず）に対し給紙方向上流側及び下流側から各々係合し、ラック＆ピニオン機構を構成している。これにより、一方の幅規制カーソル７ａ（または７ｂ）を用紙幅方向に移動させると、これに連動して他方の幅規制カーソル７ｂ（または７ａ）も反対方向に同一量だけ移動する。即ち、各幅規制カーソル７ａ、７ｂは用紙幅方向の中心線に対して左右対称に移動する。
【００２９】
幅規制カーソル７ｂの幅規制板５１の外側には、幅規制カーソル７ｂを所定の位置でロックするとともにロックを解除するロック解除レバー５７ａが設けられている。ロック解除レバー５７ａを幅規制板５１側に押圧すると、カセットベース１０の底面に形成されたラック（図示せず）に噛み合う係止爪５９が上昇し、幅規制カーソル７ｂを移動可能となる。幅規制板５１を用紙Ｐの束の側端に当接させた状態でロック解除レバー５７ａへの押圧力を解除すると、係止爪５９が下降して再びラックに噛み合う。これにより、幅規制カーソル７ｂが所定位置にロックされ、幅規制カーソル７ｂと連動する幅規制カーソル７ａも所定位置にロックされる。
【００３０】
図４に示すように、幅規制カーソル７ａでは、第１規制板５５は幅規制板５１の上端部の給紙方向全域に亘って連結されている。一方、図５に示すように、幅規制カーソル７ｂの第１規制板５５は、退避位置に配置されたときロック解除レバー５７ａに重ならない範囲に連結されている。これにより、退避位置に配置された第１規制板５５がロック解除レバー５７ａの操作を妨げるおそれがなくなる。
【００３１】
図６および図７は、それぞれ第１規制板５５が退避位置と規制位置に配置された幅規制カーソル７ａを給紙方向上流側から見た側面図である。なお、幅規制カーソル７ｂにおいても図６および図７と同様に第１規制板５５が連結されている。図６に示すように、幅規制板５１の上端は水平に折り曲げられて上面５１ａが形成されており、第１規制板５５は、上面５１ａの先端に設けられた回動軸５１ｂに回動可能に連結されている。第１規制板５５は、幅規制板５１の外側に沿って垂下した退避位置（図６の位置）と、幅規制板５１の内側に水平に突出した規制位置（図７の位置）とに選択配置される。第１規制板５５は、幅規制板５１に対して着脱可能である。
【００３２】
図７に示すように、規制位置に配置された第１規制板５５は幅規制板５１の上面５１ａによって水平に支持される。即ち、第１規制板５５は外力を加えない状態で水平姿勢を保持するため、用紙Ｐの束の上面が幅規制板５１の上端に至るまで用紙Ｐを満載した状態でも第１規制板５５の荷重が用紙Ｐに掛からない。従って、第１規制板５５の荷重がピックアップローラー２９ａによる給紙の負荷となるおそれはない。
【００３３】
図８は、後端カーソル９の斜視図である。後端カーソル９は、用紙積載板２０に積載される用紙Ｐの束の後端縁に当接する後端規制板６１と、後端規制板６１の下端部から給紙方向に延在する板状の本体部６３と、を有している。後端規制板６１には第２規制板６５が連結されている。第２規制板６５は後端規制板６１に対して着脱可能である。
【００３４】
図９は、後端カーソル９の側面図であり、第２規制板６５を規制位置に配置した状態を示している。図１０は、規制位置に配置された第２規制板６５を上方から見た平面図である。第２規制板６５は、第１規制片６７ａおよび第２規制片６７ｂで構成されている。後端規制板６１の上端は給紙方向上流側（図９の左方向）に水平に折り曲げられて上面６１ａが形成されている。第１規制片６７ａは、上面６１ａの先端に設けられた回動軸７０に回動可能に連結されている。第２規制片６７ｂは、第１規制片６７ａにスライド可能に支持されており、第１規制片６７ａの内部に形成された収納部７１に収納された状態と、第１規制片６７ａの先端から突出した状態に選択配置される。
【００３５】
第２規制片６７ｂの収納方向（矢印Ｘ′方向）の端部であって幅方向の両側２箇所にはガイド突起７３が形成されている。また、第１規制片６７ａの収納部７１の内側面には、各ガイド突起７３に対向する位置にガイド溝７１ａが形成されている。各ガイド突起７３がガイド溝７１ａに沿って案内されることで、第２規制片６７ｂが第１規制片６７ａに対して引き出し方向および収納方向（矢印ＸＸ′方向）にスライド移動する。
【００３６】
上記の構成により、第２規制板６５は、第１規制片６７ａが後端規制板６１の背面側に沿って垂下し、第２規制片６７ｂが収納部７１内に収納された退避位置（図８の位置）と、第１規制片６７ａが後端規制板６１の内側（給紙方向下流側）に水平に突出し、第２規制片６７ｂが収納部７１から引き出された規制位置（図９および図１０の位置）とに選択配置される。
【００３７】
図９および図１０に示すように第２規制板６５を規制位置に配置したとき、第１規制片６７ａは後端規制板６１の上面６１ａによって水平に支持されており、第２規制片６７ｂは第１規制片６７ａの先端部に水平に支持されている。即ち、第２規制板６５は外力を加えない状態で水平姿勢を保持するため、用紙Ｐの束の上面が後端規制板６１の上端に至るまで用紙Ｐを満載した状態でも第２規制板６５の荷重が用紙Ｐに掛からない。従って、第２規制板６５の荷重がピックアップローラー２９ａによる給紙の負荷となるおそれはない。
【００３８】
また、ガイド溝７１ａの収納方向（矢印Ｘ′方向）の端部近傍には、ガイド溝７１ａの内側に突出する係止部７５が形成されている。係止部７５は、第２規制片６７ｂのガイド突起７３との対向面に突設されており、第２規制片６７ｂを収納部７１内に収納したときガイド突起７３が係止部７５を乗り越えてガイド溝７１ａの端部にクリック感を持って係止される。これにより、第２規制板６５が退避位置に配置されて第１規制片６７ａが垂直姿勢になったとき、収納部７１からの第２規制片６７ｂの抜けを防止することができる。
【００３９】
さらに、第１規制片６７ｂの突出方向（矢印Ｘ方向）の端縁には、収納部７１内に収納された第２突出片６７ｂを引き出す際に第２突出片６７ｂの先端を把持するための切り欠き７７が形成されている。
【００４０】
後端規制板６１の両側端には、後端カーソル９を所定の位置でロックするとともにロックを解除するロック解除レバー５７ｂが設けられている。ロック解除レバー５７ｂの機能および動作については幅規制カーソル７ｂのロック解除レバー５７ａと同様であるため説明を省略する。
【００４１】
以下、本実施形態の給紙カセット１ａにおける用紙Ｐのセット手順について説明する。幅方向中央部が下向きにカール（側端部が上向きにカール）している用紙Ｐをセットする場合、図１１に示すように用紙積載板２０に用紙Ｐの束を載置した後、幅規制カーソル７ａ、７ｂと後端カーソル９を移動させて、それぞれ用紙Ｐの束の側端縁と後端縁に当接させる。なお、用紙Ｐのサイズが既知の場合は、幅規制カーソル７ａ、７ｂと後端カーソル９をサイズ表示に合わせて移動させた後に用紙Ｐをセットする。
【００４２】
そして、図１２に示すように、幅規制カーソル７ａ、７ｂの第１規制板５５を内側に回動させて規制位置に配置する。これにより、上向きにカールした用紙Ｐの側端部を第１規制板５５によって規制することができる。その結果、用紙Ｐを満載した状態でも用紙Ｐの側端縁が幅規制板５１の上端部を超えて幅方向外側にはみ出すことがなくなり、用紙Ｐのスキューを回避することができる。この場合、後端カーソル９の第２規制板６５は使用しないため、後端規制板６１から取り外しておいてもよい。なお、カールした用紙Ｐの側端部を効果的に規制するためには、幅規制カーソル７ａ、７ｂおよび第１規制板５５の長さは、用紙Ｐの給紙方向の寸法と同等以上であることが好ましい。
【００４３】
幅方向中央部が上向きにカール（側端部が下向きにカール）している用紙Ｐをセットする場合、図１３に示すように用紙積載板２０に用紙Ｐの束を載置した後、図１４に示すように幅規制カーソル７ａ、７ｂと後端カーソル９を移動させて、それぞれ用紙Ｐの束の側端縁と後端縁に当接させる。
【００４４】
そして、図１５に示すように、第１規制片６７ａ（図９参照）を内側に回動させ、第２規制片６７ｂ（図９参照）を引き出して後端カーソル９の第２規制板６５を規制位置に配置する。これにより、上向きにカールした用紙Ｐの幅方向中央部の膨らみを第２規制板６５によって規制することができる。その結果、用紙Ｐを満載した状態でも用紙Ｐの後端が後端カーソル９の後端規制板６１に確実に当接するため、用紙Ｐの束を給送方向に確実に位置決めすることができ、用紙Ｐのスキューを回避することができる。この場合、幅規制カーソル７ａ、７ｂの第１規制板５５は使用しないため、幅規制板５１から取り外しておいてもよい。
【００４５】
ここで、第２規制板６５の用紙幅方向の大きさが後端規制板６１よりも大きい場合、上向きにカールしたハガキ等の小サイズの用紙Ｐを用紙積載板２０に載置し、幅規制カーソル７ａ、７ｂおよび後端カーソル９をそれぞれ用紙Ｐの側端縁および後端縁に合わせて移動させた後、第２規制板６５を規制位置に配置したとき、第２規制板６５が幅規制カーソル７ａ、７ｂの幅規制板５１に重なってしまい、用紙Ｐの幅方向中央部の膨らみを十分に規制できないおそれがある。そのため、第２規制板６５は、用紙幅方向の大きさが後端規制板６１と略同一とすることが好ましい。
【００４６】
本実施形態の構成によれば、用紙Ｐの側端部が上向きおよび下向きのどちらの方向にカールしている場合であっても、用紙Ｐの束を幅方向および給送方向に確実に位置決めすることができる。従って、用紙Ｐのスキューを効果的に抑制することができる。
【００４７】
また、第１規制板５５および第２規制板６５が、それぞれ幅規制板５１および後端規制板６１の上端に回動可能に連結されるため、第１規制板５５および第２規制板６５の配置を退避位置と規制位置とに簡単に切り換えることができる。従って、用紙積載板２０上に用紙Ｐの束を載置する際に第１規制板５５および第２規制板６５を退避位置に配置しておくことで、用紙Ｐの束が第１規制板５５および第２規制板６５に干渉しないため、給紙カセット１ａへの用紙Ｐの補給を円滑に行うことができる。
【００４８】
その他、本発明は上記実施形態に限定されず、本発明の趣旨を逸脱しない範囲で種々の変更が可能である。例えば上記実施形態においては、幅規制カーソル７ｂを所定の位置でロックするとともにロックを解除するロック解除レバー５７ａを設けたが、他の構成で幅規制カーソル７ａ、７ｂを所定の位置でロックする機構を設けてもよい。
【００４９】
また、上記実施形態では第２規制板６５が第１規制片６７ａ、第２規制片６７ｂで構成される例について説明したが、第１規制板５５と同様に一枚の第２規制板６５を後端規制板６１の上端に回動可能に連結し、規制位置と退避位置とに選択配置する構成としてもよい。
【産業上の利用可能性】
【００５０】
本発明は、ハウジング内にシート束を積載して収納するシート収納装置に利用可能である。本発明の利用により、シート束のカール方向に関係なく、シートの給送を安定して行うことができるシート収納装置及びそれを備えた画像形成装置を提供することができる。
【符号の説明】
【００５１】
１ａ、１ｂ      給紙カセット（シート収納装置）
７ａ、７ｂ      幅規制カーソル
９              後端カーソル
１０            カセットベース（シート収納部）
２０            用紙積載板（シート積載板）
５１            幅規制板
５３            ラック部
５５            第１規制板
５７ａ、５７ｂ  ロック解除レバー（ロック解除部材）
６１            後端規制板
６３            本体部
６５            第２規制板
６７ａ          第１規制片
６７ｂ          第２規制片
１００          画像形成装置
【図１】
2019018937.tif 000003
【図２】
2019018937.tif 000004
【図３】
2019018937.tif 000005
【図４】
2019018937.tif 000006
【図５】
2019018937.tif 000007
【図６】
2019018937.tif 000008
【図７】
2019018937.tif 000009
【図８】
2019018937.tif 000010
【図９】
2019018937.tif 000011
【図１０】
2019018937.tif 000012
【図１１】
2019018937.tif 000013
【図１２】
2019018937.tif 000014
【図１３】
2019018937.tif 000015
【図１４】
2019018937.tif 000016
【図１５】
2019018937.tif 000017